(57)【要約】【課題】            ブレーキ機構による作動音を低減することができるブレーキ機構付き開閉機を提供する。【解決手段】        開閉体の開閉動作に連動して回転するように設けられたブレーキシュー１２と、該ブレーキシュー１２に当接することで該ブレーキシュー１２の回転を抑制するブレーキドラム２２と、該ブレーキドラム２２を磁力によって吸引することでブレーキシュー１２から離間する電磁ソレノイド２４とを備えたブレーキ機構付き開閉機において、前記ブレーキドラム２２が前記電磁ソレノイド２４によって吸引された際に、これらブレーキドラム２２と電磁ソレノイド２４によって囲まれる空間ｓの気体を該空間ｓの外へ逃がすように、通気通路を設けたことを特徴とする。【選択図】          図１
2008127896.tif 000002
【特許請求の範囲】
【請求項１】
開閉体の開閉動作に連動して回転するように設けられたブレーキシューと、該ブレーキシューに当接することで該ブレーキシューの回転を抑制するブレーキドラムと、該ブレーキドラムを磁力によって吸引することで前記ブレーキシューから離間する電磁ソレノイドとを備えたブレーキ機構付き開閉機において、
前記ブレーキドラムが前記電磁ソレノイドによって吸引された際に、これらブレーキドラムと電磁ソレノイドによって囲まれる空間の気体を該空間の外へ逃がすように、通気通路を設けたことを特徴とするブレーキ機構付き開閉機。
【請求項２】
上記ブレーキドラムと上記電磁ソレノイドとの間に、弾性材料からなる緩衝材を設けたことを特徴とする請求項１記載のブレーキ機構付き開閉機。
【請求項３】
上記緩衝材に上記通気通路を設けたことを特徴とする請求項２記載のブレーキ機構付き開閉機。
【請求項４】
上記通気通路は、上記緩衝材における上記ブレーキドラム側の部位及び／又は上記電磁ソレノイド側の部位に配設された径方向へわたる通気溝であることを特徴とする請求項３記載のブレーキ機構付き開閉機。
【請求項５】
上記通気通路は、上記緩衝材における上記ブレーキドラム側の部位及び／又は上記電磁ソレノイド側の部位に配設された径方向へわたる通気溝と、同緩衝材を軸方向へ貫通して前記通気溝に連通する通気孔とからなることを特徴とする請求項３記載のブレーキ機構付き開閉機。
【請求項６】
上記緩衝材に周方向へわたって上記通気溝を複数設けることで、周方向に隣り合う通気溝間に径方向へわたるリブを形成したことを特徴とする請求項４又は５記載のブレーキ機構付き開閉機。
【請求項７】
請求項１乃至６何れか１項記載のブレーキ機構付き開閉機を備えた開閉装置。
【発明の詳細な説明】
【技術分野】
【０００１】
本発明は、スクリーンシャッター装置やオーバーヘッドドアを含むシャッター装置、ロールスクリーン装置、ブラインド、オーニング装置、門扉、ゲート、スライディングウォール装置等の開閉装置に具備されて、開閉体を駆動源の動力によって開閉動作させ、必要に応じてその開閉動作を抑制するブレーキ機構付き開閉機に関し、特にシャッター装置用開閉機として好適なブレーキ機構付き開閉機および該ブレーキ機構付き開閉機を備えた開閉装置に関するものである。
【背景技術】
【０００２】
従来、この種の発明には、例えば特許文献１に記載されているように、開閉体（例えばシャッターカーテン等）を開閉動作させるための回転駆動源（電動機）と、該回転駆動源の駆動軸（電動機軸１）と一体的に回転するブレーキシュー（２）と、該ブレーキシュー（２）に当接することで該ブレーキシュー（２）の回転を抑制するブレーキドラム（４）と、該ブレーキドラム（４）をブレーキシュー（２）側へ付勢する付勢部材（制動スプリング１６）、該ブレーキドラム（４）を磁力によってコア鉄心に吸着することでブレーキシューから離間する電磁ソレノイド（電磁クラッチ１７）とを備えたものがある。
この従来技術によれば、例えば、回転駆動源が故障したときや、停電が発生したとき等には、電磁ソレノイド（電磁クラッチ１７）を非通電状態にすることで、ブレーキドラム（４）をブレーキシュー（２）に当接させれば、開閉体が自重により繰り出されてしまうのを防いだり、ブレーキドラム（４）に巻かれたチェーン鎖（７）の操作によって開閉体を手動で開閉したり等することが可能となる。
【０００３】
しかしながら、上記従来技術では、電磁ソレノイド（電磁クラッチ１７）を通電状態にすることで、該電磁ソレノイド（電磁クラッチ１７）に、ブレーキドラム（４）と一体的な当板（１３）を吸着した際に、比較的大きな作動音が発生する。
【特許文献１】実開平１−１１８０８４号公報
【発明の開示】
【発明が解決しようとする課題】
【０００４】
本発明は上記従来事情に鑑みてなされたものであり、その課題とする処は、ブレーキ機構による作動音を低減することができるブレーキ機構付き開閉機および該ブレーキ機構付き開閉機を備えた開閉装置を提供することにある。
【課題を解決するための手段】
【０００５】
上記課題を解決するために第一の発明は、開閉体の開閉動作に連動して回転するように設けられたブレーキシューと、該ブレーキシューに当接することで該ブレーキシューの回転を抑制するブレーキドラムと、該ブレーキドラムを磁力によって吸引することで前記ブレーキシューから離間する電磁ソレノイドとを備えたブレーキ機構付き開閉機において、前記ブレーキドラムが前記電磁ソレノイドによって吸引された際に、これらブレーキドラムと電磁ソレノイドによって囲まれる空間の気体を該空間の外へ逃がすように、通気通路を設けたことを特徴とする。
【０００６】
ここで、本発明のブレーキ機構付き開閉機の設置対象物は、好ましくは開閉体を巻取軸によって巻き取ったり繰り出したりする開閉装置とされるが、他例としては、開閉体を巻取軸に巻き取ることなく開放方向へ収納するようにした開閉装置であってもよい。
例えば、前者の場合は、本発明のブレーキ機構付き開閉機を、前記巻取軸を回転するための機構として用いればよい。また、例えば、後者の場合には、本発明のブレーキ機構付き開閉機におけるブレーキシューの回転運動を、ラックピニオン機構等によって開閉体の開閉方向への運動に変換するようにすればよい。
【０００７】
また、本発明のブレーキ機構付き開閉機は、好ましくは回転式電動機や、エアーモータ等の回転式の動力源によって上記開閉体を開閉動作させる機構とされるが、手動で上記開閉体を開閉動作させる機構とすることも可能である。
【０００８】
また、上記「ブレーキシューの回転を抑制する」という構成には、ブレーキシューの回転を停止するようにした態様と、ブレーキシューの回転速度を低下させるようにした態様とを含む。
【０００９】
また、上記ブレーキドラムは、ブレーキシューに対する接近離間方向へ移動可能な部材であればよい。このブレーキドラムは、回転不能な態様であってもよいし、適宜な回転抵抗を有する状態で回転可能な態様であってもよい。
【００１０】
また、上記電磁ソレノイドは、通電されることにより発生する磁力により上記ブレーキドラムを吸引する構成であればよく、例えば、コイル部とコア部とからなる構成とされる。
【００１１】
また、上記通気通路は、上記ブレーキドラム側に設けられていてもよいし、上記電磁ソレノイド側に設けられていてもよく、あるいは、これら双方の側に設けられていてもよい。
また、この通気通路は、上記ブレーキドラムや上記電磁ソレノイドに対し直接的に設けてもよいし、上記ブレーキドラムや上記電磁ソレノイドに間接部材を装着し、該間接部材に対し設けるようにしてもよい。
この通気通路の具体例としては、上記ブレーキドラム及び／又は上記電磁ソレノイドに装着される部材に対し、上記ブレーキドラムと上記電磁ソレノイドによって囲まれる空間と該空間外とを連通するように、孔や溝、切欠等を設けた態様が挙げられる。
また、通気通路の他例としては、上記ブレーキドラム及び／又は上記電磁ソレノイドに対し直接的に、上記ブレーキドラムと上記電磁ソレノイドによって囲まれる空間と該空間外とを連通するように、孔や溝、切欠等を設けた態様が挙げられる。
【００１２】
また、上記空間には、例えば、上記電磁ソレノイドを構成するコア部とコイル部の隙間や、上記ブレーキドラムを止着するためのネジ孔等によって形成される空間、上記ブレーキドラムや上記電磁ソレノイドの形状によって、これら二部材の間に形成される空間等を含む。
【００１３】
また、第二の発明では、上記ブレーキドラムと上記電磁ソレノイドとの間に、弾性材料からなる緩衝材を設けたことを特徴とする。
【００１４】
ここで、上記緩衝材は、弾性材料であって、上記ブレーキドラムが上記電磁ソレノイドに当接する際の衝撃を緩和する部材であればよい。
この緩衝材の材質の具体例としては、ゴムや、弾性を有する合成樹脂材料、弾性を有する発泡材、コルク等の弾性を有する木材等が挙げられる。
この緩衝材は、上記ブレーキドラム側に装着されていてもよいし、上記電磁ソレノイド側に装着されていてもよい。
更に、この緩衝材は、上記ブレーキドラムと上記電磁ソレノイドと双方にそれぞれ装着されていてもよいし、あるいは、上記ブレーキドラムと上記電磁ソレノイドとの間に、これらの何れにも装着されない状態で配設されていてもよい。
【００１５】
また、この第二の発明の構成要件は、独立した発明としても後述する第二の発明の作用効果を奏する。
すなわち、この独立した発明のブレーキ機構付き開閉機は、開閉体を開閉動作させるための回転駆動源と、該回転駆動源の駆動軸と一体的に回転するブレーキシューと、該ブレーキシューに当接することで該ブレーキシューの回転を抑制するブレーキドラムと、該ブレーキドラムを磁力によって吸引することで前記ブレーキシューから離間する電磁ソレノイドとを備えたブレーキ機構付き開閉機において、前記ブレーキドラムと前記電磁ソレノイドとの間に、弾性材料からなる緩衝材を設けたことを特徴とする。
【００１６】
また、第三の発明では、上記緩衝材に上記通気通路を設けたことを特徴とする。
【００１７】
この第三の発明において、上記通気通路は、例えば、前記ブレーキドラムと前記電磁ソレノイドにより囲まれる空間と該空間外とを連通するように、上記緩衝材に対し、溝や、孔、切欠、あるいはこれらを組み合わせた構成を設ければよい。
【００１８】
また、第四の発明では、上記通気通路は、上記緩衝材における上記ブレーキドラム側の部位及び／又は上記電磁ソレノイド側の部位に配設された径方向へわたる通気溝であることを特徴とする。
【００１９】
また、第五の発明では、上記通気通路は、上記緩衝材における上記ブレーキドラム側の部位及び／又は上記電磁ソレノイド側の部位に配設された径方向へわたる通気溝と、同緩衝材を軸方向へ貫通して前記通気溝に連通する通気孔とからなることを特徴とする。
【００２０】
また、第六の発明では、上記緩衝材に周方向へわたって上記通気溝を複数設けることで、周方向に隣り合う通気溝間に径方向へわたるリブを形成したことを特徴とする。
【００２１】
また、第七の発明は、上記ブレーキ機構付き開閉機を備えた開閉装置であることを特徴とする。
【発明の効果】
【００２２】
本発明は、以上説明したように構成されているので、以下に記載されるような作用効果を奏する。
第一の発明によれば、ブレーキドラムと電磁ソレノイドにより形成される空間の気体が、ブレーキドラムと電磁ソレノイドとの間で圧縮されて急激に放出されるのを、通気通路により軽減することができ、ひいては、前記気体が放出されることにより発生する作動音を低減することができる。
【００２３】
更に、第二の発明によれば、ブレーキドラムが電磁ソレノイドに当接する際の当接音を、弾性材料からなる緩衝材により緩和することができ、ひいては、当該ブレーキ機構付き開閉機の作動音を一層低減することができる。
その上、ブレーキドラムと電磁ソレノイドとの間に弾性材料からなる緩衝材を介在させる構成としているため、非通電時に電磁ソレノイドからブレーキドラムが離れる動作が、電磁ソレノイドの残留磁気によって遅れるようなことを防ぐことができる。
【００２４】
更に、第三の発明によれば、電磁ソレノイドやブレーキドラム側の加工を要することなく、生産性の良好な簡素構造でもって、通気通路を設けることができる。
【００２５】
更に、第四の発明によれば、簡素な構造の通気溝によって、ブレーキドラムと電磁ソレノイドとの間に形成される空間の気体を、効果的に逃がすことができる。
【００２６】
更に、第五の発明によれば、緩衝材の径方向へわたる通気溝と、同緩衝材を貫通する通気孔によって、ブレーキドラムと電磁ソレノイドとの間に形成される空間の気体を、より効果的に逃がすことができる。
【００２７】
更に、第六の発明によれば、複数のリブの弾性によって、ブレーキドラムと電磁ソレノイドとの当接音を効果的に低減することができる。
【００２８】
また、第七の発明によれば、ブレーキ機構による作動音を低減することができる開閉装置を提供することができる。
【発明を実施するための最良の形態】
【００２９】
以下、本発明の実施の形態を図面に基づいて説明する。
本実施の形態のブレーキ機構付き開閉機は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする開閉装置に適用可能であり、特に好ましくはシャッター装置等に適用される。
【００３０】
このブレーキ機構付き開閉機１は、開閉体を開閉動作させるための回転駆動源１０と、該回転駆動源１０の一端側で該回転駆動源１０の回転を抑制するブレーキ機構２０とを、ケーシング３０内に備え、回転駆動源１０の他端側の図示しない出力軸の回転力により、開閉装置の開閉体を開閉動作させる。
【００３１】
回転駆動源１０は、ベアリング等を介して回動自在に支持された駆動軸１１、該駆動軸１１の周囲に固定されたローター（図示せず）、該ローターの周囲に回動不能に固定されたステータ（図示せず）等を備えた一般的な回転式電動機であり、直流電動機であっても交流電動機であってもよい。
【００３２】
駆動軸１１の一端側には、該駆動軸１１と一体的に回転するようにブレーキシュー１２が固定されている。そして、ブレーキシュー１２のブレーキ機構２０側の端面における外周側には、後述するブレーキドラム２２と当接して、該ブレーキドラム２２から制動力や手動回転力を受けるブレーキライニング１３が固定されている。
この駆動軸１１の他端側は、外部に露出されて出力軸（図示せず）として用いられ、該出力軸には、例えば、スプロケットが固定され、該スプロケットに巻かれたチェーンによって、開閉体を巻き取ったり繰り出したりする巻取軸に回転力が伝達される。
【００３３】
また、ブレーキ機構２０は、上記駆動軸１１に対し略直線状に並ぶように配置されたブレーキ軸２１、該ブレーキ軸２１における回転駆動源１０側に固定されたブレーキドラム２２、該ブレーキドラム２２を回転駆動源１０方向へ付勢するコイルスプリング２３、該コイルスプリング２３の付勢力に抗してブレーキドラム２２を吸引する電磁ソレノイド２４等を備え、ブレーキドラム２２と電磁ソレノイド２４との間には、緩衝材２７が設けられている。
【００３４】
ブレーキ軸２１は、適宜な回転抵抗を有する状態で回転可能であって、且つ軸方向へ所定量移動可能に支持されている。
このブレーキ軸２１の一端側（図１によれば右端側）には、ブレーキ機構２０をレバー２１ａに対する操作により手動解除する手動解除機構が設けられている。この手動解除機構によれば、レバー２１ａが下方へ引かれることにより、ブレーキ軸２１が回転駆動源１０から離間する方向へ所定量移動する。
【００３５】
なお、図１中、符号２１ｂは、レバー２１ａが近接する箇所に接触して騒音を発生するのを防ぐ緩衝材２１ｂである。
すなわち、本実施の形態のような構造の開閉機においては、ブレーキ作動時や復帰時の振動、回転駆動源１０やブレーキドラム２２の回転振動等に起因して、レバー２１ａがケーシング３０や駆動軸１１等の近接箇所に接触し、金属音を生じるおそれがある。
そのため、レバー２１ａと、該レバー２１ａに近接する箇所（例えば、ケーシング３０や駆動軸１１等）との間には、緩衝材２１ｂを設けるのが好ましい。
この緩衝材２１ｂは、ゴムや軟質合成樹脂材料等の弾性体とすればよく、図示した好ましい一例では、レバー２１ａや駆動軸１１に対し環状に熱収縮チューブを装着するようにしている。
この熱収縮チューブを用いた態様によれば、レバー２１ａや駆動軸１１の適所を略均一な厚みで弾性コーティングすることができ、ひいては、レバー２１ａの作動が緩衝材２１ｂによって妨げられてしまうようなことを防ぐことができる。
【００３６】
また、ブレーキドラム２２は、回転駆動源１０側のブレーキライニング１３に対し当接したり離間したりするドラム本体２２ａと、該ドラム本体２２ａの軸方向の中央側に環状に固定されたチェーン鎖車２２ｂと、該チェーン鎖車２２ｂよりも電磁ソレノイド２４側に固定された略円盤状の当板２２ｃとから一体的に構成されている。
【００３７】
ドラム本体２２ａは、略段付円柱状を呈し、その中心側がブレーキ軸２１の回転駆動源１０側に固定されている。
【００３８】
チェーン鎖車２２ｂは、外周部にチェーン鎖２６が巻かれるようにした環状の部材であり、その中心側がドラム本体２２ａに固定されている。
前記チェーン鎖２６は、ケーシング３０内外にわたる環状の鎖であり、その一部分が前記チェーン鎖車２２ｂに掛け巻かれている。
【００３９】
また、当板２２ｃは、ドラム本体２２ａの回転駆動源１０側部位との間にチェーン鎖車２２ｂを挟むようにして設けられた略円盤状の磁性体であり、ドラム本体２２ａ及びチェーン鎖車２２ｂと一体的に構成されている。
【００４０】
また、コイルスプリング２３は、後述する電磁ソレノイド２４の中心側の空間内に位置し、ブレーキ軸２１の周囲に巻かれ、その一端側がケーシング３０によって固定されるとともに、他端側が略筒状の押圧スリーブ２９を介してブレーキドラム２２を付勢している。
【００４１】
また、電磁ソレノイド２４は、磁性材からなるコア部２４ａと、該コア部２４ａに磁界を発生させるために通電されるコイル部２４ｂとからなる。
コア部２４ａは、ブレーキドラム２２側に開口部を有する半断面略Ｕ字状（もしくは略コ字状）であって、ブレーキ軸２１の周囲に略環状に配設されて、ケーシング３０内に固定されている。
コイル部２４ｂは、コア部２４ａの前記開口部内に配設され、図示しないリード線によって電力が供給される。
この電磁ソレノイド２４によれば、コア部２４ａ内面とコイル部２４ｂとの間には、空気が貯溜された空間ｓを有することになる。
【００４２】
また、緩衝材２７は、ゴムや弾性合成樹脂材料を成型してなり、図３に示すように、中央にブレーキ軸２１及びその周囲の押圧スリーブ２９を貫挿させる貫通孔２７ａを有する略円盤状を呈し、その周縁の鍔部２７ｂを電磁ソレノイド２４のコア部２４ａ外周部に嵌め合わせる。
この緩衝材２７の表部には、前記貫通孔２７ａから外周縁までの径方向へわたる通気溝２７ｃが設けられている。
この通気溝２７ｃは緩衝材２７の周方向へ複数設けられ、周方向に隣り合う通気溝２７ｃ間には、径方向へわたる長尺状のリブ２７ｅが形成される。
【００４３】
また、上記複数の通気溝２７ｃには、所定数置きに、緩衝材２７を厚さ方向（ブレーキ軸２１の軸方向）へ貫通するとともに、電磁ソレノイド２４の上記空間ｓに連通する通気孔２７ｄが、通気溝２７ｃ一つ置きに配設されている。
なお、通気孔２７ｄは、各通気溝２７ｃに設けるようにしてもよいが、緩衝材２７の強度低下を防ぐ観点からは、図示例のように、一以上の通気溝２７ｃ置きに配設されるのが好ましい。
【００４４】
また、上記リブ２７ｅは、図３に示すように、遠心方向へ向かうとともに周方向へ傾斜するように形成されている。
この構成によれば、仮にリブ２７ｅを前記のように傾斜しない単なる放射状に配設した場合と比較し、各リブ２７ｅを長くすることができ、ひいては、各リブ２７ｅの耐久性を向上するとともに、各リブ２７ｅによる緩衝作用を効果的に発揮することができる。
【００４５】
また、図３に示す好ましい態様によれば、周方向へ隣り合うリブ２７ｅ，２７ｅの間隔を、遠心方向へゆくにしたがって徐々に広げることで、これらリブ２７ｅ，２７ｅ間の通気溝２７ｃの流通断面積が徐々に広くなるようにしている。
この構成によれば、通気溝２７ｃを通って遠心方向へ抜ける空気の流れをスムーズにすることができ、ひいては、後述する圧縮空気流出に起因する騒音を効果的に低減することができる。
【００４６】
次に、上記構成のブレーキ機構付き開閉機１について、その作用効果を詳細に説明する。
電磁ソレノイド２４が非通電にされている場合、ブレーキドラム２２は、コイルスプリング２３の付勢力により回転駆動源１０側へ付勢される。
そのため、ブレーキドラム２２のドラム本体２２ａがブレーキライニング１３を介してブレーキシュー１２に当接する。
よって、例えば、駆動軸１１が開閉装置の開閉体の開閉動作と連動している場合には、駆動軸１１の回転をブレーキドラム２２により抑制することで、開閉体が自重により繰り出されてしまうようなことを防ぐことができる。
また、この当接状態ではブレーキドラム２２の回転力を駆動軸１１へ伝達できるため、チェーン鎖２６を引っ張ってブレーキドラム２２を回転させれば、手動で前記開閉体を開閉動作することも可能である。
【００４７】
また、電磁ソレノイド２４が通電された際には、該電磁ソレノイド２４の磁力に吸引されてブレーキドラム２２が、ブレーキシュー１２から離間する方向へ移動する。そして、ブレーキドラム２２は、当板２２ｃを緩衝材２７に当接させる。
この当接の際、当板２２ｃと電磁ソレノイド２４との間が狭められることにより、コア部２４ａ内の空間ｓに存在していた空気が一時的に圧縮されるが、コア部２４ａ内の空間ｓの空気は、緩衝材２７の貫通孔２７ｄを通過し、更に通気溝２７ｃを通って遠心方向及び／又は求心方向へ速やかに逃がされることになる。
【００４８】
すなわち、仮に、貫通孔２７ｄや通気溝２７ｃを省いた構成では、コア部２４ａ内の空間ｓの空気が急激に圧縮され、この圧縮空気が各部の隙間から急激に放出される際に、破裂音のような大きな騒音を発生する。
しかしながら、本実施の形態によれば、前記圧縮空気を貫通孔２７ｄおよび通気溝２７ｃからなる通気通路によって、積極的に逃がすようにしているため、前記のような騒音の発生を抑制することができる。
【００４９】
更に、本実施の形態によれば、ブレーキドラム２２の当板２２ｃと電磁ソレノイド２４のコア部２４ａとが衝突する際の金属的な衝突音を、これらの間に介在する緩衝材２７の弾力性によって緩和することができる。
特に、本実施の形態の好ましい一例では、周方向に隣り合う通気溝２７ｃ間にリブ２７ｅを形成しているため、このリブ２７ｅの弾性変形により、前記衝突音を効果的に緩和することができる。
【００５０】
また、緩衝材２７は、電磁ソレノイド２４を非励磁状態にした際に、電磁ソレノイド２４からブレーキドラム２２が離間するのが遅れるようなことを防ぐことができる。
すなわち、仮に、緩衝材２７を省いた構成では、励磁状態の電磁ソレノイド２４が非励磁状態になった際、コア部２４ａの残留磁気により、当板２２ｃが吸着されたままの状態に維持され、この吸着状態の解除が遅れる場合がある。
しかしながら、本実施の形態によれば、当板２２ｃとコア部２４ａとの間の間隔を、その間に介在する緩衝材２７によって適宜に維持しているため、コア部２４ａの残留磁気により、当板２２ｃの離間動作が遅れるようなことを防ぐことができる。
【００５１】
なお、上記ブレーキ機構付き開閉機１によれば、緩衝材２７の貫通孔２７ｄと通気溝２７ｃによって通気通路を確保するようにした一例を説明したが、この通気通路は以下に示す他の手段によっても確保することが可能である。
【００５２】
例えば、図４に示す態様では、上記ブレーキ機構付き開閉機１において、緩衝材２７を緩衝材２７’に置換するとともに、電磁ソレノイド２４の周囲に通気通路を形成している。
緩衝材２７’は、上記緩衝材２７から通気孔２７ｄを省いた構成である。
また、コア部２４ａの外周には、径方向へ貫通する貫通孔２４ａ１が形成されている。この貫通孔２４ａ１は、コア部２４ａ内の空間ｓをコア部２４ａ外へ連通させている。
【００５３】
而して、図４に示す態様によれば、ブレーキドラム２２の当板２２ｃが緩衝材２７’を介してコア部２４ａに吸着されて、コア部２４ａ内の空間ｓが急激に圧縮されるのを、前記通気孔２４ａ１による通気通路によって防ぐことができ、ひいては、空間ｓの空気の流出に起因する騒音を低減することができる。
【００５４】
また、図５に示す態様は、上記ブレーキ機構付き開閉機１において、緩衝材２７を緩衝材２７”に置換するとともに、電磁ソレノイド２４の周囲に通気通路を形成している。
緩衝材２７”は、上記緩衝材２７から通気孔２７ｄを省くとともに、鍔部２７ｂに径方向へ連通する通気孔２７ｄ’を形成している。
また、コア部２４ａにおけるブレーキドラム２２側の端部の外周縁に、通気溝２４ａ２が形成されている。この通気溝２４ａ２は、コア部２４ａ内の空間ｓを通気孔２７ｄ’に連通される切欠状の溝である。
【００５５】
而して、図５に示す態様によれば、ブレーキドラム２２の当板２２ｃが緩衝材２７”を介してコア部２４ａに吸着されて、コア部２４ａ内の空間ｓが急激に圧縮されるのを、前記通気孔２７ｄ’および通気溝２４ａ２からなる通気通路によって防ぐことができ、ひいては、空間ｓの空気の流出に起因する騒音を低減することができる。
【００５６】
また、上述した実施の形態によれば、緩衝材２７における一方の面のみに通気溝２７ｃ及びリブ２７ｅを設けたが、図６に示す緩衝材２８のように、双方の面に通気溝及びリブを設けるようにしてもよい。
より詳細に説明すれば、図６に示す緩衝材２８では、上記緩衝材２７に対し、その表部と裏部のそれぞれに、上記通気溝２７ｃ及びリブ２７ｅと略同構成の通気溝２８ｃ及びリブ２８ｅを有する。通気溝２８ｃには、上記緩衝材２７と同様に、コア部２４ａ内の空間ｓに連通する貫通孔２８ｄが形成されている。
更に、緩衝材２８外周側の鍔部２８ｂには、裏部側（電磁ソレノイド２４側）の通気溝２８ｃに連続して径方向へ貫通する貫通孔２８ａが形成されている。
【００５７】
而して、図６に示す態様によれば、緩衝材２８の表裏部に形成された通気溝２８ｃと、緩衝材２８を軸方向へ貫通する貫通孔２８ｄと、緩衝材２８を径方向へ貫通する貫通孔２８ａとから通気通路が形成され、この通気通路により、コア部２４ａ内の空間ｓが圧縮され流出することに起因する騒音を、効果的に低減することができる。
更に、この態様によれば、緩衝材２８表裏のリブ２８ｅ，２８ｅによって、ブレーキドラム２２が電磁ソレノイド２４側に当接する際の衝撃も、効果的に低減することができる。
【００５８】
なお、図６に示す態様において、緩衝材２８の表裏のリブ２８ｅ，２８ｅは、表裏対称とすることも非対称とすることも可能である。
【００５９】
また、上記通気通路は、ブレーキドラム２２とコア部２４ａにより囲まれる空間の空気を該空間の外部へ逃がすようにした構成であればよく、上記具体例以外には、例えば、ブレーキドラム２２の当板２２ｃに貫通孔や溝を設けてなる構成とすることも可能である。
【００６０】
また、上記実施の形態によれば、ブレーキドラム２２が双方向へ回転可能な態様としているが、他例としては、ブレーキドラム２２をラチェット機構等によって一方向へのみ回転する態様とすることも可能である。
【００６１】
また、上述した通気孔２７ｄと、通気孔２７ｄ’および通気溝２４ａ２と、貫通孔２４ａ１は、図示例以外にも、適宜に組み合わせて具備することが可能である。
【図面の簡単な説明】
【００６２】
【図１】本発明に係わるブレーキ機構付き開閉機の一例を示す断面図である。
【図２】同ブレーキ機構付き開閉機の要部断面図である。
【図３】緩衝材の一例を示す平面図である。
【図４】本発明に係わるブレーキ機構付き開閉機の他例を示す要部断面図である。
【図５】本発明に係わるブレーキ機構付き開閉機の他例を示す要部断面図である。
【図６】本発明に係わるブレーキ機構付き開閉機の他例を示す要部断面図である。
【符号の説明】
【００６３】
１：ブレーキ機構付き開閉機
１０：回転駆動源
１１：駆動軸
１２：ブレーキシュー
２２：ブレーキドラム
２４：電磁ソレノイド
２４ａ：コア部
２７：緩衝材
２７ｃ：通気溝（通気通路）
２７ｄ：通気孔（通気通路）
ｓ：空間
【図１】
2008127896.tif 000003
【図２】
2008127896.tif 000004
【図３】
2008127896.tif 000005
【図４】
2008127896.tif 000006
【図５】
2008127896.tif 000007
【図６】
2008127896.tif 000008